(57)【要約】【課題】簡単な方法で製造され、装飾性、美粧性、意匠性に優れ、また接着領域の糊付け強度が高い部分蒸着フィルム付き包装箱用台紙とその製造方法と包装箱を提供する。【解決手段】所定形状にカットされた紙基材１２で形成され、紙基材１２の表側面１２ａには、金属光沢を有する光沢部１４が帯状に形成され、光沢部１４以外の部分は紙基材１２が露出している。光沢部１４は、金属の蒸着層を有する蒸着フィルム１８が貼られている。光沢部１４は、複数が互いに平行に設けられ、一対の光沢部１４は、紙基材１２が露出するスリット部１６で区切られている。蒸着フィルム１８の原反ロールから引き出しながらカッター７６を接触させて、長手方向に沿って切断線７８を形成し、蒸着フィルム１８の、切断線７８の片側部分を不要部として除去し、残りの部分のみを、紙基材１２の表側面に貼り付ける。【選択図】図１
2019182534.tif 000002
【特許請求の範囲】
【請求項１】
所定形状にカットされた紙基材で形成され、前記紙基材の表側面には、金属光沢を有する光沢部が帯状に形成され、前記光沢部は、金属の蒸着層を有する蒸着フィルムが貼られ、前記光沢部以外の部分は前記紙基材が露出していることを特徴とする部分蒸着フィルム付き包装箱用台紙。
【請求項２】
前記光沢部は、複数が互いに平行に設けられ、前記一対の光沢部は、前記紙基材が露出するスリット部で区切られている請求項１記載の部分蒸着フィルム付き包装箱用台紙。
【請求項３】
金属の蒸着層を有する蒸着フィルムに、前記蒸着フィルムの原反ロールから引き出しながらカッターを接触させて長手方向に沿って切断線を形成し、前記蒸着フィルムの、前記切断線の片側部分を不要部として除去し、残りの部分のみを、所定形状にカットされた紙基材の表側面に貼り付けて、平滑で光沢を有する光沢部を前記紙基材の前記表側面に、帯状に形成することを特徴とする部分蒸着フィルム付き包装箱用台紙の製造方法。
【請求項４】
前記紙基材は、複数枚を連続して供給し、連続して供給された前記紙基材に前記蒸着フィルムが引き出されながら貼られる多列貼加工を行う請求項３記載の部分蒸着フィルム付き包装箱用台紙の製造方法。
【請求項５】
一枚の包装箱形成片から成り、収容物を覆う側面と、前記側面を糊付けして所定形状に組み立てる接着領域が設けられた包装箱において、
前記包装箱形成片は、紙基材の表側面に金属の蒸着層を有する蒸着フィルムによる光沢部が帯状に設けられた部分蒸着フィルム付き包装箱用台紙からなり、前記包装箱形成片の前記接着領域は、前記部分蒸着フィルム付き包装箱用台紙の前記光沢部以外の前記紙基材が露出した部分からなり、前記接着領域以外の部分は前記光沢部からなることを特徴とする包装箱。
【請求項６】
前記包装箱形成片は、前記接着領域が両端部の差込片に設けられ、前記部分蒸着フィルム付き包装箱用台紙の前記光沢部の長手方向と直交する幅は、前記包装箱形成片の前記接着領域である前記差込片が前記光沢部の側方にはみ出す長さである請求項５記載の包装箱。
【発明の詳細な説明】
【技術分野】
【０００１】
この発明は、蒸着フィルムが貼り付けられた部分蒸着フィルム付き包装箱用台紙とその製造方法及び包装箱に関する。
【背景技術】
【０００２】
従来、台紙から一体的に打ち抜かれた箱体形成片を折り曲げて糊付けし、組み立てられた包装箱がある。この様な包装箱には、外側面に、金属のような光沢を有する蒸着フィルムを貼り、装飾性、美粧性、意匠性に優れたものがある。また蒸着フィルムはガスバリアー性が高いため、液体を収容する包装箱の内側面に貼り、液体収容物の品質を保つものがある。しかし、蒸着層は表面が平滑であるため、接着剤が付きにくく、高い接着強度が得られないという問題があり、包装箱の糊付部分の蒸着層を除去する方法が考えられている。
【０００３】
例えば、特許文献１に開示されている包装用容器は、所定形状のブランク板を折り曲げて糊付けして組み立てられている。ブランク板は、包装用容器の内面側から順に、蒸着層、熱可塑性樹脂層、紙層にポリエチレン層が積層された基材層、印刷層が積層された構成である。ブランク板の、組み立てる際に糊付けされる熱接着領域は、蒸着層が除去されている。蒸着層は、熱可塑性樹脂層に、熱接着領域を除いた所定のパターンに形成され、熱可塑性樹脂層とともに基材層に取り付けられている。熱可塑性樹脂層に、蒸着層を所定のパターンに形成する方法は、蒸着層を形成する必要のない領域に、水溶性インキを使用して印刷により水溶解層を形成し、水溶解層を形成した熱可塑性樹脂層の全面に金属ないしは金属酸化物を蒸着してから、水溶解層を溶解除去するものである。
【０００４】
また、特許文献２に開示されている装飾性紙カップは、カップの胴部を形成する胴部材シートを、筒状にして端縁どうしを重ね合わせて接着して組み立てられている。胴部材シートは、カップの内側面から順に、熱接着性樹脂層、紙基材、アルミ蒸着層、エンボスホログラムフィルムが積層された構成である。胴部材シートの、接着される端縁の一方の接着部は、アルミ蒸着層が除去されている。アルミ蒸着層は、エンボスホログラムフィルムに、接着領域を除いた所定のパターンに形成され、エンボスホログラムフィルムとともに紙基材に取り付けられている。エンボスホログラムフィルムにアルミ蒸着層を所定のパターンに形成する方法は、マスキング加工法、酸アルカリ抜き加工法、水洗い抜き加工法のいずれかの加工方法によって設けられている。
【先行技術文献】
【特許文献】
【０００５】
【特許文献１】特開平１０−１９３４９７号公報
【特許文献２】特開２００６−１５１４３４号公報
【発明の概要】
【発明が解決しようとする課題】
【０００６】
上記背景技術の場合、蒸着層を接着領域から除去する方法は、マスキング加工法、酸アルカリ抜き加工法、水洗い抜き加工法等で行っており、工数が多く、時間と手間がかかるものであり、製造コストも高くなるものである。
【０００７】
この発明は、上記背景技術の問題点に鑑みてなされたものであり、簡単な方法で製造され、装飾性、美粧性、意匠性に優れ、また接着領域の糊付け強度が高い部分蒸着フィルム付き包装箱用台紙とその製造方法及び包装箱を提供することを目的とする。
【課題を解決するための手段】
【０００８】
本発明は、所定形状にカットされた紙基材で形成され、前記紙基材の表側面には、金属のような光沢を有する光沢部が帯状に形成され、前記光沢部以外の部分は前記紙基材が露出している部分蒸着フィルム付き包装箱用台紙である。前記光沢部は、金属の蒸着層を有する蒸着フィルムが貼られたものである。
【０００９】
また、前記光沢部は、複数が互いに平行に設けられ、前記一対の光沢部は、前記紙基材が露出するスリット部で区切られている。
【００１０】
本発明は、金属の蒸着層を有する蒸着フィルムに、前記蒸着フィルムの原反ロールから引き出しながらカッターを接触させて長手方向に沿って切断線を形成し、前記蒸着フィルムの、前記切断線の片側部分を不要部として除去し、残りの必要部のみを、所定形状にカットされた紙基材の表側面に貼り付けて、平滑で光沢を有する光沢部を前記紙基材の前記表側面に、帯状に形成する部分蒸着フィルム付き包装箱用台紙の製造方法である。
【００１１】
また、前記紙基材は、複数枚を連続して供給し、連続して供給された前記紙基材に前記蒸着フィルムが引き出されながら貼られる多列貼加工を行う。また、前記切断線を複数本形成し、前記不要部は一対の前記切断線で周囲から区切られたテープ状となり、前記紙基材の、前記不要部が除去された部分は前記紙基材が露出するスリット部となり、前記複数の光沢部は前記スリット部で区切られる。
【００１２】
本発明は、一枚の包装箱形成片から成り、収容物を覆う側面と、前記側面を糊付けして所定形状に組み立てる接着領域が設けられた包装箱である。前記包装箱形成片は、紙基材の表側面に金属の蒸着層を有する蒸着フィルムが帯状に設けられた部分蒸着フィルム付き包装箱用台紙からなり、前記包装箱形成片の前記接着領域は、前記部分蒸着フィルム付き包装箱用台紙の前記光沢部以外の前記紙基材が露出する部分からなり、前記接着領域以外の部分は前記光沢部からなる。また、前記包装箱形成片は、前記包装箱形成片から、帯状の前記光沢部に沿って複数枚を並べて打ち抜かれたものである。前記接着領域が前記光沢部の外側に位置するように打ち抜かれている。
【００１３】
また、前記包装箱形成片は、前記接着領域が両端部の差込片に設けられ、前記部分蒸着フィルム付き包装箱用台紙の前記光沢部の長手方向と直交する幅は、前記包装箱形成片の前記接着領域である前記差込片が前記光沢部の側方にはみ出す長さである。
【発明の効果】
【００１４】
本発明の部分蒸着フィルム付き包装箱用台紙とその製造方法と包装箱は、簡単な方法で製造され、装飾性、美粧性、意匠性に優れ、また接着領域の糊付強度が高い。
【図面の簡単な説明】
【００１５】
【図１】この発明の一実施形態の部分蒸着フィルム付き包装箱用台紙の正面図である。
【図２】この実施形態の部分蒸着フィルム付き包装箱用台紙の製造方法を示す斜視図である。
【図３】この実施形態の部分蒸着フィルム付き包装箱用台紙の製造方法を示す正面図である。
【図４】この実施形態の部分蒸着フィルム付き包装箱用台紙のその他の製造方法を示す正面図である。
【図５】この実施形態の包装箱形成片を示す正面図である。
【図６】この実施形態の部分蒸着フィルム付き包装箱用台紙と包装箱形成片を示す正面図である。
【発明を実施するための形態】
【００１６】
以下、この発明の実施形態について図面に基づいて説明する。図１はこの発明の一実施形態を示すもので、この実施形態の部分蒸着フィルム付き包装箱用台紙１０は、一方向に僅かに長い紙基材１２で形成されている。
【００１７】
紙基材１２の表側面１２ａには、金属のような光沢を有する光沢部１４が部分的に形成されている。光沢部１４は、紙基材１２の長手方向に沿って帯状に形成され、部分蒸着フィルム付き包装箱用台紙１０の長手方向に交差する一対の側縁部１０ａに達している。光沢部１４は同じ幅の帯状に３本設けられ、光沢部１４同士の間に位置する２個のスリット部１６は紙基材１２が露出し、また互いに等しい幅である。部分蒸着フィルム付き包装箱用台紙１０の長手方向に沿う一対の側縁部１０ｂと、光沢部１４の間の両側部１７も、紙基材１２が露出している。光沢部１４の長手方向と直交する幅は、後述する包装箱形成片２０の、一対の差込片５２を除く長さであり、図５に示すように包装箱形成片２０を光沢部１４に沿って並べた時に、一対の蓋片４８を含み一対の差込片５２は、外側にはみ出すものである。スリット部１６の幅は差込片５２が２個、両側から突出して並べた長さよりも僅かに広く形成されている。
【００１８】
光沢部１４は、蒸着フィルム１８が紙基材１２に貼られて形成されている。蒸着フィルム１８は、ＰＥＴ樹脂やＰＶＡ樹脂のフィルムにアルミニウム等の金属又は金属酸化物を蒸着させたものである。蒸着フィルム１８は、金属のような光沢を有し、上述のような問題があるが、装飾性、美粧性、意匠性に優れている。
【００１９】
次に、部分蒸着フィルム付き包装箱用台紙１０の製造方法について、図２、図３に基づいて説明する。紙管等に蒸着フィルム１８を巻き回した原反ロール７０が回転可能に保持されている。蒸着フィルム１８は、原反ロール７０に巻かれた状態の外側面に、熱圧で接着する接着剤であるヒートシール剤が予め取り付けられている。原反ロール７０の近傍に、原反ロール７０の軸方向に平行な一対のローラ７２，７４が設けられ、原反ロール７０から引き出された蒸着フィルム１８を略水平方向に転向している。
【００２０】
一対のローラ７２，７４の間には、蒸着フィルム１８を切断するカッター７６が設けられている。カッター７６は、蒸着フィルム１８の幅方向の所定位置に、蒸着フィルム１８の上流側に向かう５枚の刃が設けられ、蒸着フィルム１８が走行することにより、長手方向に沿って５本の切断線７８を形成する。切断線７８の位置は、部分蒸着フィルム付き包装箱用台紙１０の光沢部１４とスリット部１６の境界に位置する。５枚の刃のうちの１枚は、蒸着フィルム１８を所定寸法にするためフィルム端近辺に位置し、他の４枚の刃の位置は、互いに幅が狭い一対の刃が２組となり、２組の一対の刃の位置は、蒸着フィルム１８の端部を切って所定寸法になった幅を３等分する等間隔の２か所である。
【００２１】
切断線７８が形成された蒸着フィルム１８は、ローラ７４を通過して原反ロール７０の軸方向に平行な熱圧ローラ８０に巻き回されて下方に向かい、次に反転し、熱圧ローラ８０と、熱圧ローラ８０の下方に位置するローラ８２に挟まれて紙基材１２に貼り付けられる。紙基材１２は、図示しない給紙部から、熱圧ローラ８０とローラ８２の間に連続して供給され蒸着フィルム１８が連続して貼られ、多列貼加工される。紙基材１２は、熱圧ローラ８０とローラ８２に蒸着フィルム１８とともに送られて蒸着フィルム１８が貼り付けられ、部分蒸着フィルム付き包装箱用台紙１０が製造される。部分蒸着フィルム付き包装箱用台紙１０の一対の側縁部１０ａは部分蒸着フィルム付き包装箱用台紙１０の流れ方向に対して略直角に位置し、一対の側縁部１０ｂは、部分蒸着フィルム付き包装箱用台紙１０の流れ方向に対して略平行であり、光沢部１４は帯状に側縁部１０ｂに対して平行に設けられる。蒸着フィルム１８の、５本の切断線７８のうち、幅が狭い一対の切断線７８の内側に位置する部分と蒸着フィルム１８の端縁部は、紙基材１２に貼着しない不要部１８ａであり、蒸着フィルム１８が熱圧ローラ８０に巻き回される工程でその周囲の必要部１８ｂから離されて取り除かれている。不要部１８ａはテープ状であるため図示しないローラで巻き上げて廃棄してもよい。紙基材１２に貼着されるのは、蒸着フィルム１８から不要部１８ａを除いた必要部１８ｂのみである。所定幅の蒸着フィルム１８は、熱圧ローラ８０に巻き回されて下方に向かい、次に反転して紙基材１２に貼り付けられ、この後、各紙基材１２毎に蒸着フィルム１８を切断して、各々の部分蒸着フィルム付き包装箱用台紙１０が製造される。
【００２２】
なお、蒸着フィルム１８に、熱圧で接着するヒートシール剤が予め設けられていない場合は、図４に示すように、切断線７８を形成しローラ７４を通過した後、蒸着フィルム１８の片面に、接着剤８４を塗布用ローラ８６で塗布し、図示しない乾燥部を通過して乾燥させる。次に熱ロール８８に巻き回して接着剤を溶かし、また不要部１８ａを取り除く。不要部１８ａが除去された必要部１８ｂは、次に圧ロール９０に巻き回されて下方に向かい、次に反転して紙基材１２に貼り付けられ、この後、各紙基材１２毎に蒸着フィルム１８を切断して、各々の部分蒸着フィルム付き包装箱用台紙１０が製造される。
【００２３】
なお、紙基材１２に蒸着フィルム１８を上記のように多列貼加工を行うときは、蒸着フィルム１８の蛇行（位置の偏り）を発生させないようにして、コストアップにならないように、所定のスピードで加工する。光沢部１４の鏡面の平滑度を確保できる最適の温度、圧力、スピード条件は、既存の接着方法により適宜選択することができる。また、部分蒸着フィルム付き包装箱用台紙１０の、必要な部分には、オフセット印刷により印刷部６２を形成する。印刷部６２は、光沢部１４、スリット部１６、両側部１７のいずれに設けてもよい。印刷部６２は、商品名、メーカー名、商品についての説明等を表示する文字や、装飾用の絵柄等である。
【００２４】
次に、この様に製造された部分蒸着フィルム付き包装箱用台紙１０を打ち抜いて、図５に示す包装箱形成片２０を形成する。図５は、包装箱形成片２０を表面から見た展開図であり、包装箱形成片２０は、側面２２，２４，２６，２８が、互いに平行に連接して形成されている。側面２２の側縁部には、包装箱形成片２０の組立状態で側面２８の裏側面に糊付けされる接着領域である糊付片３０が設けられている。側面２２，２４，２６，２８、糊付片３０は、各々折罫線３２，３４，３６，３８で区切られている。
【００２５】
側面２２において、側面同士の連接方向に対して直角な方向の１個の端部２２ａ近傍には、開封用破断線４０が設けられている。開封用破断線４０は、端部２２ａから離れる方向に膨出するコの字形で形成され、開封用破断線４０と端部２２ａで囲まれた矩形の部分は、包装箱形成片２０を組み立てて作った包装箱を開封する際の押し部４２となる。端部２２ａの反対側の端部２２ｂは、自立しやすいように中央部分が僅かに外側に突出する凸型に形成されている。
【００２６】
側面２４の、側面２２の端部２２ａ，２２ｂから連なる一対の端部には、小さい矩形のフラップ４４が、折罫線４６で区切られて各々設けられている。
【００２７】
側面２６の、側面２４の折罫線４６から連なる一対の端部には、矩形の蓋片４８が折罫線５０で区切られて各々設けられている。さらに、各蓋片４８の折罫線５０と反対側の端部には、差込片５２が折罫線５４で区切られて設けられている。各差込片５２のほぼ中央には、接着強度を高めるための破断線５６が形成されている。破断線５６は紙基材１２の表側面から紙基材１２の厚みの途中まで切断するハーフカットで形成され、５本の直線が互いに平行に等間隔に並んで形成されている。なお一対の折罫線５０の、側面２２の端部２２ｂ側に位置する方は、紙基材１２の厚みを貫通してカットする破断線で設けてもよい。
【００２８】
側面２８の、側面２６の折罫線５０に隣接する一対の端部には、フラップ４４と同形状のフラップ５８が折罫線６０で区切られて各々設けられている。
【００２９】
包装箱形成片２０は、図６に示すように、部分蒸着フィルム付き包装箱用台紙１０を包装箱形成片２０の形に打ち抜いて設けられる。部分蒸着フィルム付き包装箱用台紙１０の光沢部１４の長手方向に対して、包装箱形成片２０の側面同士の連接方向が平行となるように、並べられて打ち抜く。一対の差込片５２は、光沢部１４から外側にはみ出し、光沢部１４以外のスリット部１６または両側部１７から打ち抜かれ、紙基材１２の表側面１２ａが露出する。包装箱形成片２０の、それ以外の部分には、紙基材１２の表側面１２ａに蒸着フィルム１８が貼り付けられる。差込片５２の、蓋片４８に接する部分には、光沢部１４が蓋片４８から連続して設けられている。包装箱形成片２０の、側面２２，２６の任意の位置には、光沢部１４の表面にオフセット印刷した印刷部６２が設けられている。
【００３０】
次に、この実施形態の包装箱形成片２０から包装箱を組み立てる方法の一例について説明する。なお、ここでは図５が包装箱形成片２０の表面を見たものであり、表面の大部分には光沢部１４が設けられ、差込片５２には光沢部１４が設けられず紙基材１２の表側面１２ａが露出している。なお裏面は、紙基材１２の裏側面１２ｂである。包装箱形成片２０の表面が凸になる折り方を正折り、そして裏面が凸になる折り方を逆折りと称する。
【００３１】
まず、糊付片３０の蒸着フィルム１８側の表面に、蒸着フィルム用の糊６４を塗布する。糊６４は、折罫線３２に沿って長く塗布する。そして、折罫線３４を正折りし、次に折罫線３８を正折りする。これにより、側面２８の裏面は糊６４により糊付片３０の表面に糊付けされ、折り畳み状態となり、この状態で包装箱形成片２０による折り畳み状態の包装箱が出荷される。糊６４は、蒸着フィルム用であり、糊付片３０の蒸着フィルム１８と側面１８の裏面に広い面積で、強い圧力をかけて、強固に接着することができる。
【００３２】
次に、収容物を収容し包装する工場等において、折罫線３２，３４，３６，３８を各々９０°に正折りし、側面２２，２４，２６，２８を四角形の筒体にする。そして、筒体の一方の開口部において折罫線４６，６０でフラップ４４，５８を９０°に正折りする。そして、差込片５２の表面に破断線５６を含む範囲に紙用の糊６６を塗布し、蓋片４８を折罫線５０で９０°に正折りし、更に差込片５２を折罫線５４で正折りして、差込片５２を側面２２の端部２２ａまたは端部２２ｂから内側に差し込んで、側面２２の裏面に糊６６で糊付けする。これにより筒体の一方の端部を閉鎖する。
【００３３】
この状態で、反対側の端部開口から収容物を中に入れる。そして、他方の端部と同様に、差込片５２の差込片５２の表面に破断線５６を含む範囲に糊６６を塗布し、蓋片４８を折罫線５０で９０°に正折りし、更に差込片５２を折罫線５４で正折りして、差込片５２を側面２２の端部２２ａまたは端部２２ｂから内側に差し込んで、側面２２の裏面に糊６６で糊付けする。これにより筒体の他方の端部を閉鎖し、包装箱による包装作業が終了する。包装箱は、外側全面に蒸着フィルム１８により金属のような光沢が取り付けられる。
【００３４】
なお、包装箱を組み立てる順番は、これ以外でも良い。糊６６は、最初に側面２２の裏面に塗布され、その後差し込まれた差込片５２に接着されてもよい。差込片５２は紙基材１２が露出しているため、側面２２の裏面の紙基材１２に高い接着強度で糊付けされる。紙用の糊６６で接着可能であり、蒸着フィルム用の糊を使用する必要がなく、熱圧着工程も不要である。差込片５２は蓋片４８に沿う所定幅の矩形の部分まで、光沢部１４が蓋片４８から連続して設けられているため、折罫線５４を正折りして差込片５２を側面２２の裏側面に糊付けした際に端部２２ａから僅かに見える部分まで光沢部１４が設けられ、外観が良好である。
【００３５】
この実施形態の部分蒸着フィルム付き包装箱用台紙１０によれば、簡単な方法で製造され、蒸着フィルム１８により光沢部１４が形成され、装飾性、美粧性、意匠性に優れた包装箱形成片２０と包装箱形成片２０を組み立てた包装箱を作ることができる。包装箱は、外側全面に、蒸着フィルム１８により金属のような光沢が取り付けられ、装飾性、美粧性、意匠性に優れている。接着領域である差込片５２は蒸着フィルム１８が除去され、紙基材１２が露出し、確実に側面２２に糊付けすることができる。差込片５２の接着強度が高いため、蓋片４８は確実に閉鎖される。差込片５２の糊付には、蒸着フィルム用の糊を使用する必要がなく、熱圧着工程も不要である。特に、差込片５２には、広い範囲に糊６６を塗布することが難しく、糊付け後強い圧力を掛けることもできないが、破断線５６を含む範囲のみで良好に糊付けし、差込片５２を確実に封緘することができる。
【００３６】
部分蒸着フィルム付き包装箱用台紙１０は、蒸着フィルム１８が貼られた光沢部１４と、紙基材１２が露出するスリット部１６と両側部１７が帯状に形成され、包装箱形成片２０を打ち抜く際に接着領域をスリット部１６又は両側部１７から取ることで、蒸着フィルム１８のない部分を簡単に形成することができる。部分蒸着フィルム付き包装箱用台紙１０は、蒸着フィルム１８を原反ロール７０から引き出しながら連続して紙基材１２に貼着するため、効率よく製造することができる。
【００３７】
なお、この発明は上記実施形態に限定されるものではなく、部分蒸着フィルム付き包装箱用台紙の形状や、光沢部の形状は、形成する包装箱形成片に合わせて適宜変更可能である。包装箱の形状は変更可能であり、また箱体以外でも良い。蒸着フィルムを除去する接着領域は、差込片以外でも良く、側面の側方に位置する糊付片の蒸着フィルムを除去しても良い。
【符号の説明】
【００３８】
１０  部分蒸着フィルム付き包装箱用台紙
１２  紙基材
１２ａ  表側面
１４  光沢部
１６  スリット部
１８  蒸着フィルム
１８ａ  不要部
１８ｂ  必要部
２０  包装箱形成片
２２，２４，２６，２８  側面
５２  差込片
７０  原反ロール
７６  カッター
７８  切断線
【図１】
2019182534.tif 000003
【図２】
2019182534.tif 000004
【図３】
2019182534.tif 000005
【図４】
2019182534.tif 000006
【図５】
2019182534.tif 000007
【図６】
2019182534.tif 000008